(57)【要約】【課題】容器本体内を照明できると共に、外部からの外観品質を向上させることができる車両用小物入れを提供する。【解決手段】自動車内に配設される容器本体１１を備え、この容器本体１１の側面には光を透過させる透明部材（透明部）１３と、光を透過させないケース体（非透明部）１２とを有し、透明部材１３の外側には光源Ｌが配設され、ケース体１２の内面１２ａと透明部材１３の内面１３ａとを面一に設けると共に、ケース体１２の内面１２ａと透明部材１３の内面１３ａとにまたがって、面一状態で植毛を施した。【選択図】　　図４
2004122885.tif 000002
【特許請求の範囲】
【請求項１】
車両内に配設される容器本体を備え、該容器本体には光を透過させない非透明部と、光を透過させる透明部とを有し、前記透明部の外側には光源が配設された車両用小物入れにおいて、
前記非透明部の内面と前記透明部の内面とを面一に設けると共に、前記非透明部の内面と前記透明部の内面とにまたがって、面一状態で植毛を施したことを特徴とする車両用小物入れ。
【請求項２】
前記非透明部と前記透明部とを別部材によって形成したことを特徴とする請求項１に記載の車両用小物入れ。
【発明の詳細な説明】
【０００１】
【発明の属する技術分野】
この発明は、車両内に配設されると共に、光源が発する光を透過させる透明部を有する車両用小物入れに関するものである。
【０００２】
【従来の技術】
従来の車両用小物入れとしては、例えば、図６に示すようなものが知られている（例えば、特許文献１参照）。
【０００３】
まず、この従来の車両用小物入れの構成から説明する。
【０００４】
図６に示すように、この車両用小物入れ１は、自動車の運転席と助手席との間に設置されるセンタコンソール３に設けられ、コインケース２ａと、カップスタンド２ｂとが一体に形成された容器本体２を有している。
【０００５】
次に、この従来の車両用小物入れの作用について説明する。
【０００６】
この車両用小物入れ１は、断面ほぼ円弧状の前記コインケース２ａに硬貨Ｋを収納して硬貨Ｋを取り出しやすくすると共に、カップスタンド２ｂに収納された図示しないカップを支持して、自動車が揺れたときなどにカップの転倒を防止している。
【０００７】
さらに、他の例の従来の車両用小物入れとしては、例えば、図７に示すようなものが知られている（例えば、特許文献２参照）。
【０００８】
まず、この他の例の従来の車両用小物入れの構成から説明する。
【０００９】
図７に示すように、この車両用小物入れ４は、自動車の運転席と助手席との間に設置されるセンタコンソール６に設けられ、カップスタンド５ａが形成された容器本体５を有している。また、カップスタンド５ａの外側には、光源Ｌと、この光源Ｌが発する光を導く導光体７とが設けられている。さらに、導光体７の先端はカップスタンド５ａの底面に形成された貫通孔８に表出している。
【００１０】
次に、この他の例の従来の車両用小物入れの作用について説明する。
【００１１】
この車両用小物入れ４は、カップスタンド５ａに収納された二点鎖線で示すカップ５ｂを支持して、自動車が揺れたときなどにこのカップ５ｂの転倒を防止している。また、光源Ｌの発する光が導光体７を介して貫通孔８から放射され、カップスタンド５ａの内側を照らしている。
【００１２】
【特許文献１】
実開平６−２５０４０号公報
【００１３】
【特許文献２】
特開２００２−１４４９６５号公報
【００１４】
【発明が解決しようとする課題】
しかしながら、上述の車両用小物入れ１では、容器本体２が箱状であるため、特に、夜間では外部からの光が入りにくく、硬貨Ｋやカップを出し入れする際に手元が暗くなって見にくくなることがあった。
【００１５】
また、他の例の車両用小物入れ４では、小物入れ挿入口側から容器本体５内に外部光が入射したとき、カップスタンド５ａの底面に設けた貫通孔８が外部から見えてしまい、外観品質が良好ではないという問題があった。
【００１６】
また、貫通孔８を底面に設けると、カップを置いた際にカップスタンド５ａ内を充分に照らすことが困難なので、貫通孔８をカップスタンド５ａの側面に設けることが考えられる。しかし、この場合では、さらに貫通孔８が目立ってしまい、外観品質がさらに低下するという問題が生じていた。
【００１７】
この発明は、上記問題に鑑みてなされたものであり、容器本体内を照明できると共に、外部からの外観品質を向上させることができる車両用小物入れを提供することを目的としている。
【００１８】
【課題を解決するための手段】
上記課題を解決するために、請求項１に係る発明は、自動車内に配設される容器本体を備え、この容器本体には光を透過させない非透明部と、光を透過させる透明部とを有し、透明部の外側には光源が配設された車両用小物入れにおいて、非透明部の内面と透明部の内面とを面一に設けると共に、非透明部の内面と透明部の内面とにまたがって、面一状態で植毛を施したことを特徴としている。
【００１９】
このように、請求項１の発明によれば、外部から容器本体の内側が見えた場合、非透明部の内面と透明部の内面とにまたがって植毛された毛によって、容器本体の非透明部の内面と透明部の内面との境界が隠れ、外観品質を向上することができる。
【００２０】
また、非透明部の内面と透明部の内面とが面一に設けられて、これらの間に段差が生ず、外部から容器本体の内側に光が入射しても、この容器本体の内側に影ができることはない。そして、これにより、さらに外観品質を向上させることができる。
【００２１】
さらに、前記光源が発光した際に、この光源からの光が透明部の内面に施された植毛を介して容器本体内に照射される。そのため、容器本体内を照明することが可能となって、容器本体の内側に収納されたものを充分に視認することができる。
【００２２】
請求項２に係る発明は、非透明部と透明部とを別部材によって形成した請求項１に記載の車両用小物入れを特徴としている。
【００２３】
このように、請求項２の発明によれば、請求項１の効果に加え、容器本体が非透明部と透明部とに分けられて、別部材で形成されているので、高価な二色成形等を用いることなく構成することができる。このため、製造コストを安価にすることが可能となる。
【００２４】
【発明の実施の形態】
以下、図面に基づいてこの発明の実施の形態１を説明する。
【００２５】
この発明の車両用小物入れ（以下、小物入れという）１０は、図２に示すように、車両Ａの内部に設けられた運転席Ｂと助手席Ｃとの間に設置されたセンタコンソール２０に設けられる構成になっている。
【００２６】
このセンタコンソール２０には、凹部２１が形成されている。そして、凹部２１には、上面がセンタコンソール２０の表面とほぼ面一に位置するように、図２に示す内装品２２が埋設されている。さらに、この凹部２１内であって、内装品２２の外側には、光源Ｌが配設されている（図４参照）。なお、この光源Ｌは、ＬＥＤや小型の電球等である。
【００２７】
内装品２２は、図１に示すように、シフトレバー２３ｂが突出する溝状の貫通孔２３ａが形成されたフィニッシャ２３と、フィニッシャ２３の助手席Ｃ側の側部に設けられた第１容器ホルダ部２４と、第２容器ホルダ部２５とを備えている。
【００２８】
この第１容器ホルダ部２４及び第２容器ホルダ部２５は、車両前後方向に沿って並んで設けられると共に、それぞれ上方に向かって開口した開口部２４ａ、２５ａを有している。
【００２９】
これらの開口部２４ａ、２５ａには、開閉可能な蓋体２４ｂ、２５ｂが取り付けられている。
【００３０】
また、第１容器ホルダ部２４の側面２４ｃには、前記光源Ｌと対向する位置に貫通孔２４ｄが形成されている。この貫通孔２４ｄは、内装品２２の外側に設けられた光源Ｌ（図４参照）が発する光を、この第１容器ホルダ部２４内に透過させるように車幅方向に貫通形成されている。
【００３１】
そして、第１容器ホルダ部２４には、小物入れとしてのコインケース１０、或いは、灰皿２６のどちらか一方が着脱自在に装着されている。また、第２容器ホルダ部２５には、携帯電話ケース２７が着脱自在に装着されている。
【００３２】
灰皿２６は、図１に示すように、上面に開口部２６ａが形成されたほぼボックス形状を呈しており、側面にほぼ平面状のすりガラスからなるガラス板２６ｂが嵌め込まれている。なお、ガラス板２６ｂ以外は、例えばフェノール樹脂等からなる耐熱性樹脂で形成されている。そして、この灰皿２６は、第１容器ホルダ部２４に装着されると、ガラス板２６ｂと第１容器ホルダ部２４の側面２４ｃに設けられた貫通孔２４ｄとが対向する。
【００３３】
一方、前記コインケース１０は、図３に示すように、硬貨を収納する凹部が形成された容器本体１１を有して主に構成されている。
【００３４】
この容器本体１１は、上面視ほぼ長方形形状で上方に向かって開口した開口部１１ａが形成された有底のカップ状を呈しており、車両前後方向に沿って長く形成されている。
【００３５】
そして、容器本体１１の開口部１１ａの周縁部には、フランジ１１ｂが形成されている。フランジ部１１ｂは、容器本体１１を前記第１容器ホルダ部２４に装着した際、この第１容器ホルダ部２４の開口部２４ａ周縁に載置される。
【００３６】
また、この容器本体１１は硬貨を収納するために灰皿２６と比べて浅くなるように形成されている。
【００３７】
さらに、この容器本体１１は、光を透過させない非透明部としてのケース体１２と、このケース体１２の側面に光を透過させる透明部としての透明部材１３とによって主に構成されている。また、ケース体１２と透明部材１３とは、別部材によって、それぞれ形成されている。
【００３８】
ケース体１２は、例えば黒色等に着色された樹脂等によって形成されている。また、このケース体１２は、光源Ｌと対向する側の側面に、前記透明部材１３が装着される窓孔１５が形成されている。
【００３９】
透明部材１３は、透明な樹脂である、例えばポリカーボネートや、アクリル等によって形成されている。そして、この透明部材１３は、ネジ１４ａ、１４ｂによって、ケース体１２の側面に形成された窓孔１５に嵌合するように取り付けられている。なお、透明部材１３がケース体１２に取り付けられたとき、ケース体１２の内面１２ａと窓孔１５とが面一になるように透明部材１３は形成されている。
【００４０】
なお、これらのネジ１４ａ、１４ｂは容器本体１１の外側から取り付けられている。そのため、これらのネジ１４ａ、１４ｂは容器本体１１の内側から見えないようになっている。なお、取り付けはネジ固定に限るものではなく、熱カシメ等の熱溶着によって行うこともできる。また、ネジ頭、熱溶着部がケース体１２の外表面より突出しないように、透明部材１３の取付部分はケース体１２の外表面より窪んで形成されている（図５参照）。
【００４１】
また、窓孔１５は、図４に示すように、容器本体１１を第１容器ホルダ部２４に装着した際、貫通孔２４ｄと対向する位置に、車幅方向に貫通形成されている。これにより、容器本体１１が第１容器ホルダ部２４に装着されると、透明部材１３と第１容器ホルダ部２４の側面２４ｃに設けられた貫通孔２４ｄとが対向することとなる。
【００４２】
そして、図４及び図５に示すように、ケース体１２の内面１２ａと透明部材１３の内面１３ａとは、面一になるように設けられている。さらに、このケース体１２の内面１２ａ及び透明部材１３の内面１３ａは、ケース体１２と透明部材１３との境界にまたがって、面一状態で植毛が施されている。
【００４３】
この植毛は、容器本体１１の内面のほぼ全領域及びフランジ１１ｂ、及びフランジ１１ｂの側面１１ｃの渡って静電植毛によって施されている。
【００４４】
次に、この実施の形態１にかかる車両用小物入れの作用について説明する。
【００４５】
このコインケース１０を使用するには、まず、内装品２２の第１容器ホルダ部２４の開口部２４ａに設けられた蓋体２４ｂを開く。そして、容器本体１１を、第１容器ホルダ部２４内に装着する。このとき、透明部材１３と第１容器ホルダ部２４の貫通孔２４ｄとが対向するように配置させる。
【００４６】
そして、容器本体１１を第１容器ホルダ部２４内に挿入すると、容器本体１１の開口部１１ａの周縁部に形成されたフランジ１１ｂが、第１容器ホルダ部２４の開口部２４ａに載置される。
【００４７】
このように装着されたコインケース１０は、外部から内側が見えた際、容器本体１１の内側に施された植毛によってケース体１２と透明部材１３との境界が隠れ、外観品質を向上することができる。
【００４８】
特に、ここでは、図３及び図４に示すように、フランジ１１ｂの側面１１ｃから、フランジ１１ｂの上面、ケース体１２の内側面、ケース体１２の底面、ケース体１２の内側面、透明部材１３、フランジ部１１ｂの上面までが植毛によって覆われている。そのため、このコインケース１０は、上方のどの角度から見ても均一に植毛が施されていて、さらに外観品質を向上させることができる。
【００４９】
そして、ケース体１２の内面１２ａと透明部材１３の内面１３ａとが面一に設けられることでこの間に段差が生ず、開口部１１ａ側からコインケース１０の内側に光が入射しても、コインケース１０の内側に影ができることはない。そして、これにより、さらに外観品質を向上させることができる。
【００５０】
さらに、容器本体１１の内側は、静電植毛によって植毛が施されているので、この内側がビロード調に表面処理されて高級感を演出することもできる。
【００５１】
そして、透明部材１３とケース体１２とは、別部材によって形成されているので、高価な二色成形等を用いることなく容器本体１１を構成することができる。このため、製造コストを安価にすることが可能となる。
【００５２】
一方、夜間や暗い場所等の外部からの光が充分に照射されない場所でコインケース１０から硬貨を出し入れする場合には、光源Ｌを点灯させる。
【００５３】
そして、光源Ｌからの光は、第１容器ホルダ部２４の貫通孔２４ｄと、透明部材１３とを透過した後に、透明部材１３の内面１３ａに施された植毛を透して容器本体１１内に照射される。そのため、容器本体１１内を照明することが可能となって、外部からの光が充分に照射されない場合であっても、コインケース１０に収納された硬貨を充分に視認することができる。また、植毛を透して容器本体１１内を照明しているため、例えば植毛の密度等を変化させることにより、光の波長度合や色味を調整することができる。
【００５４】
以上、この発明にかかる実施の形態の一つを図面により詳述してきたが、具体的な構成は上述の実施の形態に限らず、この発明の要旨を逸脱しない範囲の設計の変更等があってもこの発明に含まれる。
【００５５】
例えば、上述の実施の形態では、小物入れとしてコインケース１０としたが、カップを保持するためのカップホルダや、カードや領収書等を収納するためのカードケース等であっても良い。
【００５６】
また、上記実施の形態では、植毛の形成は静電植毛を例に挙げて説明したが、これに限定されるものではなく、静電植毛されたシートを小物入れ内面に貼着してもよい。
【００５７】
【発明の効果】
以上説明してきたように、請求項１の発明によれば、容器本体内を照明できると共に、非透明部の内面と透明部の内面とにまたがって植毛された毛によって容器本体の非透明部の内面と透明部の内面との境界が隠れ、外部からの外観品質を向上させることができる。
【００５８】
そして、請求項２の発明によれば、請求項１の効果に加え、容器本体を高価な二色成形等を用いることなく形成することが可能となり、製造コストを安価にすることができる。
【図面の簡単な説明】
【図１】この発明の実施の形態１にかかる車両用小物入れが設けられる内装品の構成を示す分解斜視図である。
【図２】この発明の実施の形態１にかかる車両用小物入れが設けられる車両内部を示す斜視図である。
【図３】この発明の実施の形態１にかかる車両用小物入れを示す斜視図である。
【図４】内装品に容器本体を装着した際の縦断面図である。
【図５】この発明の実施の形態１にかかる車両用小物入れの横断面図である。
【図６】従来の車両用小物入れを示す斜視図である。
【図７】従来の車両用小物入れの他の例を示す断面図である。
【符号の説明】
１０　　　　　　コインケース（車両用小物入れ）
１１　　　　　　容器本体
１２　　　　　　ケース体（非透明部）
１２ａ　　　　　内面
１３　　　　　　透明部材（透明部）
１３ａ　　　　　内面
Ｌ　　　　　　　光源
【図１】
2004122885.tif 000003
【図２】
2004122885.tif 000004
【図３】
2004122885.tif 000005
【図４】
2004122885.tif 000006
【図５】
2004122885.tif 000007
【図６】
2004122885.tif 000008
【図７】
2004122885.tif 000009